(57)【要約】【課題】  ガーデニングにおいて手間をかけることなく多様なデザインの美の空間を構成しやすくする。【解決手段】  植物を収容するためのガーデニング器具であって、植物の茎や葉を生長させるために開放された上部開口部と、上部開口部とは反対の方向に植物の根を生長させるために開放されている下部開口部と、上部開口部および下部開口部がそれぞれ上端と下端に形成されている側壁部とを有し、下部開口部が、上部開口部に対して２０％以上の開口面積比を有し、器具の高さが、上部開口部の最大直径の５倍以内である。前述のガーデニング器具（１６）が、土壌（１２）を覆うグランドグランドカバー（１８）の複数の開口の各々に設置されており、植物の根が、ガーデニング器具の下部開口部を通って土壌内に延びている。【選択図】  図１
0003123622.tif 000002
【実用新案登録請求の範囲】
【請求項１】
植物を収容するためのガーデニング器具であって、
植物の茎や葉を上方に生長させるために開放された上部開口部（１６ａ、２６ａ、３６ａ、４６ａ、５６ａ、６６ａ）と、上部開口部（１６ａ、２６ａ、３６ａ、４６ａ、５６ａ、６６ａ）の反対方向に、植物の根を生長させるために開放されている下部開口部（１６ｃ、２６ｃ、３６ｃ、４６ｃ、５６ｃ、６６ｃ）と、上部開口部（１６ａ、２６ａ、３６ａ、４６ａ、５６ａ、６６ａ）および下部開口部（１６ｃ、２６ｃ、３６ｃ、４６ｃ、５６ｃ、６６ｃ）がそれぞれ上端と下端に形成されている側壁部（１６ｂ、２６ｂ、３６ｂ、４６ｂ、５６ｂ、６６ｂ）とを有し、
下部開口部（５６ｃ）が、上部開口部（５６ａ）に対して２０％以上の開口面積比を有し、
ガーデニング器具の高さが、上部開口部（６６ｃ）の最大直径の５倍以内であることを特徴とするガーデニング器具。
【請求項２】
ガーデニング器具全体が椀型をしており、ガーデニング器具の上端と下端が完全に開放していて、ガーデニング器具の上端および下端に壁が設けられていないことを特徴とする請求項１に記載のガーデニング器具。
【請求項３】
ガーデニング器具全体が壺型をしていて、ガーデニング器具の上端と下端が完全に開放していて、ガーデニング器具の上端および下端に壁が設けられていないことを特徴とする請求項１に記載のガーデニング器具。
【請求項４】
庭の土壌（１２）と、土壌（１２）に地面から少し埋める形で設置されていて、植物（１４）を収容するための請求項１〜３のいずれか１項に記載のガーデニング器具（１６）と、土壌（１２）の地面を覆うグランドカバー（１８）を有し、
グランドカバー（１８）に複数の開口（１８ａ）が形成されていて、グランドカバー（１８）の各開口（１８ａ）にガーデニング器具（１６）が配置されており、ガーデニング器具（１６）の内部に収容されている植物（１４）の根（１４ｃ）が、ガーデニング器具（１６）の下部開口部（１６ｃ、２６ｃ、３６ｃ、４６ｃ、５６ｃ、６６ｃ）を通ってその下方にある土壌（１２）内に延びていることを特徴とする庭構造。
【請求項５】
ガーデニング器具（６６）の下側３分の１程度が地面内に埋め込まれていることを特徴とする請求項４に記載の庭構造。
【請求項６】
グランドカバー（１８）が、防草シートである請求項４〜５のいずれか１項に記載の庭構造。
【請求項７】
グランドカバー（１８）が、砂利で構成されている請求項４〜５のいずれか１項に記載の庭構造。
【請求項８】
グランドカバー（１８）が、芝で構成されている請求項４〜５のいずれか１項に記載の庭構造。
【請求項９】
グランドカバー（１８）が、樹皮加工品で構成されている請求項４〜５のいずれか１項に記載の庭構造。
【考案の詳細な説明】
【技術分野】
【０００１】
本考案は、ガーデニング器具及びそれを用いた庭構造に関する。
【背景技術】
【０００２】
庭に植物を植える場合、以下の（Ａ）と（Ｂ）に大別できる。
【０００３】
（Ａ）  植物を鉢、壷などのガーデニング器具の中に入れる。
【０００４】
この揚合、植物の種類に応じて適当なガーデニング器具を選択して、それらを組み合わせることで、多様なデザインを構成できるというメリットがある。
【０００５】
（Ｂ）  直接植物を地面に植え込む。つまり「地植え」にする。
【０００６】
この場合、根が地中に張っていくので、植物を植え替える必要がなく、よほど特別な状況（長期間雨が降らないなど）にならないかぎり、植物に水分を補給する必要がないというメリットがある。
【０００７】
特許文献１には、公園や庭園、路側帯、未舗装の駐車場、農地などのあらゆる路地に生え茂る雑草を抑制するための雑草抑制シートが示されている。
【０００８】
特許文献２には、樹木の幹を取り囲むように配置して、土を覆う蓋を設けた植樹ポットが示されている。
【特許文献１】特開平８−１７２９３６号公報
【特許文献２】特開２００１−２７５５００号公報
【考案の開示】
【考案が解決しようとする課題】
【０００９】
しかしながら、従来のやり方には、植物を用いて美の空間を構成するにあたり、幾つかのデメリットがある。
【００１０】
例えば、上記（Ａ）のようにガーデニング器具の中に植物を入れる場合、当然、そのガーデニング器具の中でのみ根が張り生育することができるにすぎない。そのため、生長が進んで、根が大きくなると、より大きなガーデニング器具に植え替える必要が生じる。又、ガーデニング器具の中で保持できる水分が限られるため、定期的に水分を補給する必要がある。このように、植物それ自体の維持管理に手間が掛かるというデメリットがある。
【００１１】
また、上記（Ｂ）のように地植えの場合、庭全体、少なくとも植物周辺の地面の草むしりをする必要があるという大きなデメリットがある。
【００１２】
地面をグランドカバーで覆うことにより草むしりの作業を省略することもできるが、カバーのみでは、美の空間、とくに多様なデザインの美の空間を構成するのは困難である。
【００１３】
本考案は、手間を掛けることなく、多様なデザインが可能で、かつ美の空間を構成しやすいガーデニング器具とそれを用いた庭構造を提供することを目的としている。
【課題を解決するための手段】
【００１４】
本考案の解決手段を例示すると、以下のとおりである。
【００１５】
（１）  植物を収容するためのガーデニング器具であって、
植物の茎や葉を上方に生長させるために開放された上部開口部（１６ａ、２６ａ、３６ａ、４６ａ、５６ａ、６６ａ）と、上部開口部（１６ａ、２６ａ、３６ａ、４６ａ、５６ａ、６６ａ）の反対方向に、植物の根を生長させるために開放されている下部開口部（１６ｃ、２６ｃ、３６ｃ、４６ｃ、５６ｃ、６６ｃ）と、上部開口部（１６ａ、２６ａ、３６ａ、４６ａ、５６ａ、６６ａ）および下部開口部（１６ｃ、２６ｃ、３６ｃ、４６ｃ、５６ｃ、６６ｃ）がそれぞれ上端と下端に形成されている側壁部（１６ｂ、２６ｂ、３６ｂ、４６ｂ、５６ｂ、６６ｂ）とを有し、
下部開口部（５６ｃ）が、上部開口部（５６ａ）に対して２０％以上の開口面積比を有し、
ガーデニング器具の高さが、上部開口部（６６ｃ）の最大直径の５倍以内であることを特徴とするガーデニング器具。
【００１６】
（２）  ガーデニング器具全体が椀型をしており、ガーデニング器具の上端と下端が完全に開放していて、ガーデニング器具の上端および下端に壁が設けられていないことを特徴とする前述のガーデニング器具。
【００１７】
（３）  ガーデニング器具全体が壺型をしていて、ガーデニング器具の上端と下端が完全に開放していて、ガーデニング器具の上端および下端に壁が設けられていないことを特徴とする前述のガーデニング器具。
【００１８】
（４）  庭の土壌（１２）と、土壌（１２）に地面から少し埋める形で設置されていて、植物（１４）を収容するための前述のガーデニング器具（１６）と、土壌（１２）の地面を覆うグランドグランドカバー（１８）を有し、
グランドカバー（１８）に複数の開口（１８ａ）が形成されていて、グランドカバー（１８）の各開口（１８ａ）にガーデニング器具（１６）が配置されており、ガーデニング器具（１６）の内部に収容されている植物（１４）の根（１４ｃ）が、ガーデニング器具（１６）の下部開口部（１６ｃ、２６ｃ、３６ｃ、４６ｃ、５６ｃ、６６ｃ）を通ってその下方にある土壌（１２）内に延びている庭構造。
【００１９】
（５）  ガーデニング器具（６６）の下側３分の１程度が地面内に埋め込まれていることを特徴とする前述の庭構造。
【００２０】
（６）  グランドカバー（１８）が、防草シートである前述の庭構造。
【００２１】
（７）  グランドカバー（１８）が、砂利で構成されている前述の庭構造。
【００２２】
（８）  グランドカバー（１８）が、芝で構成されている前述の庭構造。
【００２３】
（９）  グランドカバー（１８）が、樹皮加工品で構成されている前述の庭構造。
【考案の効果】
【００２４】
本考案のガーデニング器具とそれを用いた庭構造によれば、ガーデニングが、草むしりの手間をかけることなく楽しめる。しかも、多様なデザインが可能となる。とくに、種々のデザインの美の空間を構成しやすい。
【００２５】
植物の維持管理に手間を掛けたくないが、広い面積の庭を作りたい場合、草むしりする手間を省く必要がある。このような場合、本考案によれば、新しいガーデニングのデザインの多様性を大きくすることが出来、本考案の効果は極めて顕著な効果を奏する。
【００２６】
ガーデニング器具の下部開口部が、上部開口部に対して２０％以上の開口面積比を有すると、地中に張った根が下部開口部のところに密集して水はけが悪くなるということが回避できる。
【００２７】
ガーデニング器具の高さが、上部開口部の最大直径の５倍以内であると、土壌に対してガーデニング器具を容易かつ安定的に設置できる。
【００２８】
ガーデニング器具が陶磁器製であると、他の材質のガーデニング器具と比較して、良好な景観を安価にかつ容易に提供しやすい。
【考案を実施するための最良の形態】
【００２９】
本考案の最良の形態によるガーデニング器具は、植物を収容するためのガーデニング器具であって、植物の茎や葉を上方に生長させるために上向きに開放された上部開口部と、側壁部と、上部開口部の反対側に設けられた下部開口部を有するものである。下部開口部は、上部開口部とは反対の方向に植物の根を生長させるために下向きに開放されている。
【００３０】
ガーデニング器具の高さ（たとえばガーデニング器具を地面に設定したとき、ガーデニング器具の上部開口部から下部開口部までの鉛直方向の距離）は、好ましくは、植え込み部分となる上部開口部の最大直径の５倍以内とする。これは、例えばガーデニング器具の下側３分の１程度を土壌に埋め込むことにより、容易な方法で安定してガーデニング器具を設置できるためである。
【００３１】
本考案の最良の形態による庭構造は、庭の土壌と、土壌に設置されていて植物を収容するための前述のガーデニング器具と、土壌を覆うグランドカバーを有する。
【００３２】
グランドカバーに複数の種々のサイズや形状の開口が設けられていて、種々のガーデニング器具が各開口内に設置される。植物の根は、ガーデニング器具の下部開口部を通って下方にある土壌内に延びている。
【００３３】
本考案において、上部開口部とは、植物の茎や葉をほぼ上向きに生長させるために開放された開口部を意味し、全体的に正確に上方を向いた開口部に限らず、斜め上方を向いた開口部を含む。
【００３４】
本考案において、グランドカバーとは、防草シート、砂利、芝、樹皮加工品などであり、土壌の地面を覆って草が生長しにくくするものである。
【００３５】
樹皮加工品は、次のものが好ましい。
【００３６】
（１）バーフチップ。主に北米産の米杉（レッドシダー）、米松（パイン）の樹皮をチップ状に砕いたものが好ましい。
【００３７】
（２）樹皮を繊維状に加工したもの。好ましくは、杉・檜の樹皮を繊維状に加工したもの。
【００３８】
また、土状のもので、無機系で、砂に近い外観の化学製品も、グランドカバーとして利用できる。
【００３９】
ガーデニング器具の材質は陶磁器とする。これにより、良い景観を創ることが容易になる。
【００４０】
開口部の大きさは、植え込み部分となる上部開口部の面積に対して、下部開口部の面積が、開口面積比で２０％以上の大きさを有するようにする。これは、２０％未満にすると、地中に張った根が下部開口部に密集して、水はけが悪くなり、根腐れを起こすことがあるためである。
【００４１】
こうして、広い庭であっても、本考案のガーデニング器具をいくつか点在させてガーデニングを行うことで、庭の空間全体を美しく構成できる。
【実施例】
【００４２】
以下、図面を参照して、本考案の実施例を説明する。
【００４３】
図１は、本考案によるガーデニング器具を用いた庭構造の一例を示す概略斜視図である。
【００４４】
庭構造１０は、土壌１２と、土壌１２の表面（地面）に下部を少し埋め込むように設置されていて植物を収容するためのガーデニング器具と、土壌１２を覆う砂利１８（グランドカバーの一例）を有する。
【００４５】
植物は、種々のものを配置するのが、美の空間を構成するために好ましい。図１に示された例においては、３つの異なる植物１４、２４、３４が配置されている。これらの植物１４、２４、３４が適当な間隔で土壌１２に植えられている。
【００４６】
図１に示された例においては、３つの異なるガーデニング器具１６、２６、３６が使用されている。これらのガーデニング器具１６、２６、３６は、土壌１２に少し埋める形に設置されていて、植物１４、２４、３４がそれぞれの中に収容されている。
【００４７】
砂利１８は、本考案におけるグランドカバーの一例である。砂利１８が土壌１２の表面を完全に覆って、草が生長しにくくなっている。
【００４８】
図２Ａは、ガーデニング器具周辺の一例を示す概略斜視図である。
【００４９】
図２Ｂは、図２Ａのガーデニング器具に植物を植えた状態を示す概略縦断面図である。
【００５０】
ガーデニング器具１６は、浅い椀型のガーデニング器具として構成されている。
【００５１】
ガーデニング器具１６は、上部開口部１６ａと、側壁部１６ｂと、下部開口部１６ｃを有する。
【００５２】
上部開口部１６ａは、植物１４の茎１４ａや葉１４ｂを上方に生長させるために上向きに開放されている。
【００５３】
側壁部１６ｂの上端は、上部開口部１６ａを画成している。側壁部１６ｂは、植物１４の茎１４ａとその周囲の土壌１２を取り囲んでいる。
【００５４】
下部開口部１６ｃは、上部開口部１６ａと反対側の側壁部１６ｂに設けられていて、側壁部１６ｂの下端に画成されている。下部開口部１６ｃは、上部開口部１６ａとは反対の方向に植物１４の根１４ｃを生長させるために下向きに開放されている。
【００５５】
土壌１２の表面レベルは、ガーデニング器具１６の内部が外部よりも少し高くなっている。内部と外部で土の質を相違させてもよい。
【００５６】
植物１４の根１４ｃが、ガーデニング器具１６の下部開口部１６ｃを通ってその下方にある土壌１２に延びている。
【００５７】
砂利１８は、所定の厚みの層をなして構成されていて、点在する形で、複数の開口１８ａを有する。ガーデニング器具１６は、これらの各開口１８ａに設置されている。ガーデニング器具１６の下側３分の１程度が土壌１２の中に埋められていている。そのため、ガーデニング器具１６は安定して設置されている。
【００５８】
ガーデニング器具１６の周囲の土壌１２が砂利１８で覆われているため、土壌１２の草むしりをする必要がほとんどない。一方、植物１４の根１４ｃが土壌１２内に延びているため、よほど特別な状況以外は、植物１４に水分を補給する必要がない。こうして、ガーデニング器具１６の個数や種類、植物の種類などを工夫することにより、草むしりの手間をかけることなく、多様なデザインの美の空間を構成できる。
【００５９】
図３Ａは、ガーデニング器具周辺の別の例を示す概略斜視図である。図３Ｂは、図３Ａのガーデニング器具の概略縦断面図である。なお、植物は図示が省略されている。
【００６０】
ガーデニング器具３６は、傾斜した壺型のガーデニング器具として構成されていて、砂利１８の複数の開口１８ｂの各々に設置されている。
【００６１】
ガーデニング器具３６は、上部開口部３６ａと、側壁部３６ｂと、下部開口部３６ｃを有する。
【００６２】
ガーデニング器具３６の内部と外部で土壌１２の表面レベルと質が相違している。
【００６３】
上部開口部３６ａ、側壁部３６ｂ、下部開口部３６ｃ、開口１８ｂの機能は、それぞれ、図２Ａ及び図２Ｂの上部開口部１６ａ、側壁部１６ｂ、下部開口部１６ｃ、開口１８ａの機能と基本的に同じであるので、その説明を省略する。
【００６４】
傾斜した壺型のガーデニング器具３６を用いることで、更に多様なデザインの美の空間を構成できるようになっている。
【００６５】
図４Ａは、ガーデニング器具周辺の更に別の例を示す概略斜視図である。図４Ｂは、図４Ａのガーデニング器具の概略縦断面図である。なお、植物は図示が省略されている。
【００６６】
ガーデニング器具４６の内部と外部で土壌１２の表面レベルと質が相違している。
【００６７】
ガーデニング器具４６は、起立した壺型のガーデニング器具として構成されていて、砂利１８の複数の開口１８ｃの各々に設置されている。
【００６８】
ガーデニング器具４６は、上部開口部４６ａと、側壁部４６ｂと、下部開口部４６ｃを有する。上部開口部４６ａ、側壁部４６ｂ、下部開口部４６ｃ、開口１８ｃの機能は、それぞれ、図２Ａ及び図２Ｂの上部開口部１６ａ、側壁部１６ｂ、下部開口部１６ｃ、開口１８ａの機能と基本的に同じであるので、その説明を省略する。
【００６９】
起立した壺型のガーデニング器具４６を用いることで、更に多様なデザインの美の空間を構成できるようになっている。
【００７０】
図５は、上部と下部の開口部の面積の相対関係を説明するための図である。
【００７１】
ガーデニング器具５６は、上部開口部５６ａと、側壁部５６ｂと、下部開口部５６ｃを有する。上部開口部５６ａ、側壁部５６ｂ、下部開口部５６ｃの機能は、それぞれ、図２Ａ及び図２Ｂの上部開口部１６ａ、側壁部１６ｂ、下部開口部１６ｃの機能と基本的に同じであるので、その説明を省略する。
【００７２】
ガーデニング器具５６の下部開口部５６ｃは、上部開口部５６ａに対して２０％以上の開口面積比を有する。すなわち、下部開口部５６ｃの面積ｂは、上部開口部５６ａの面積ａの２０％以上となっている。こうして、土壌に張った根が下部開口部５６ｃのところに密集して、水はけが悪くなったり、根腐れを起こしたりしないようになっている。
【００７３】
図６は、ガーデニング器具の高さを説明するための図である。
【００７４】
ガーデニング器具６６は、上部開口部６６ａと、側壁部６６ｂと、下部開口部６６ｃを有する。上部開口部６６ａ、側壁部６６ｂ、下部開口部６６ｃの機能は、それぞれ、図２Ａ及び図２Ｂの上部開口部１６ａ、側壁部１６ｂ、下部開口部１６ｃの機能と基本的に同じであるので、その説明を省略する。
【００７５】
ガーデニング器具６６の上部開口部６６ａから下部開口部６６ｃまでの鉛直方向の距離ｄが、ガーデニング器具の高さに相当し、上部開口部６６ａの最大直径ｃの５倍以内に設定されている。
【００７６】
例えば、ガーデニング器具６６の下側３分の１程度を土壌に埋め込むことにより、ガーデニング器具６６を安定して設置できるようになっている。
【００７７】
本考案は図示された実施例に限定されない。例えば、ガーデニング器具やグランドカバーの形状は前述の図示された実施例に限定されない。
【図面の簡単な説明】
【００７８】
【図１】本考案によるガーデニング器具を用いた庭構造の一例を示す概略斜視図である。
【図２Ａ】ガーデニング器具周辺の一例を示す概略斜視図である。
【図２Ｂ】図２Ａのガーデニング器具に植物を植えた状態を示す概略縦断面図である。
【図３Ａ】ガーデニング器具周辺の別の例を示す概略斜視図である。
【図３Ｂ】図３Ａのガーデニング器具の概略縦断面図である。
【図４Ａ】ガーデニング器具周辺の別の例を示す概略斜視図である。
【図４Ｂ】図４Ａのガーデニング器具の概略縦断面図である。
【図５】上部と下部の開口部の面積の相対関係を説明するための図である。
【図６】ガーデニング器具の高さを説明するための図である。
【符号の説明】
【００７９】
１０  庭構造
１２  土壌
１４、２６、３６  植物
１４ａ  茎
１４ｂ  葉
１４ｃ  根
１６、２６、３６、４６、５６、６６  ガーデニング器具
１６ａ、２６ａ、３６ａ、４６ａ、５６ａ、６６ａ  上部開口部
１６ｂ、２６ｂ、３６ｂ、４６ｂ、５６ｂ、６６ｂ  側壁部
１６ｃ、２６ｃ、３６ｃ、４６ｃ、５６ｃ、６６ｃ  下部開口部
１８  砂利（グランドカバーの一例）
１８ａ、１８ｂ、１８ｃ  開口
【図１】
0003123622.tif 000003
【図２Ａ】
0003123622.tif 000004
【図２Ｂ】
0003123622.tif 000005
【図３Ａ】
0003123622.tif 000006
【図３Ｂ】
0003123622.tif 000007
【図４Ａ】
0003123622.tif 000008
【図４Ｂ】
0003123622.tif 000009
【図５】
0003123622.tif 000010
【図６】
0003123622.tif 000011
【手続補正書】
【提出日】平成18年3月10日(2006.3.10)
【手続補正１】
【補正対象書類名】実用新案登録請求の範囲
【補正対象項目名】全文
【補正方法】変更
【補正の内容】
【実用新案登録請求の範囲】
【請求項１】
植物を収容するための複数の異なるガーデニング器具の組合せであって、複数の異なるガーデニング器具の各々において、  植物の茎や葉を上方に生長させるために開放された上部開口部（１６ａ、２６ａ、３６ａ、４６ａ、５６ａ、６６ａ）と、上部開口部（１６ａ、２６ａ、３６ａ、４６ａ、５６ａ、６６ａ）の反対方向に、植物の根を生長させるために開放されている下部開口部（１６ｃ、２６ｃ、３６ｃ、４６ｃ、５６ｃ、６６ｃ）と、上部開口部（１６ａ、２６ａ、３６ａ、４６ａ、５６ａ、６６ａ）および下部開口部（１６ｃ、２６ｃ、３６ｃ、４６ｃ、５６ｃ、６６ｃ）がそれぞれ上端と下端に形成されている側壁部（１６ｂ、２６ｂ、３６ｂ、４６ｂ、５６ｂ、６６ｂ）とを有し、  下部開口部（５６ｃ）が、上部開口部（５６ａ）に対して２０％以上の開口面積比を有し、  ガーデニング器具の高さが、上部開口部（６６ｃ）の最大直径の５倍以内であることを特徴とするガーデニング器具。
【請求項２】
ガーデニング器具全体が椀型をしており、ガーデニング器具の上端と下端が完全に開放していて、ガーデニング器具の上端および下端に壁が設けられていないことを特徴とする請求項１に記載のガーデニング器具。
【請求項３】
ガーデニング器具全体が壺型をしていて、ガーデニング器具の上端と下端が完全に開放していて、ガーデニング器具の上端および下端に壁が設けられていないことを特徴とする請求項１に記載のガーデニング器具。
【請求項４】
ガーデニング器具の材質が陶磁器であることを特徴とする請求項１〜３のいずれか１項に記載のガーデニング器具。
【手続補正２】
【補正対象書類名】明細書
【補正対象項目名】全文
【補正方法】変更
【補正の内容】
【考案の詳細な説明】
【技術分野】
【０００１】  本考案は、複数の異なるガーデニング器具の組合せに関する。
【背景技術】
【０００２】  庭に植物を植える場合、以下の（Ａ）と（Ｂ）に大別できる。【０００３】（Ａ）  植物を鉢、壷などのガーデニング器具の中に入れる。【０００４】  この揚合、植物の種類に応じて適当なガーデニング器具を選択して、それらを組み合わせることで、多様なデザインを構成できるというメリットがある。【０００５】（Ｂ）  直接植物を地面に植え込む。つまり「地植え」にする。【０００６】  この場合、根が地中に張っていくので、植物を植え替える必要がなく、よほど特別な状況（長期間雨が降らないなど）にならないかぎり、植物に水分を補給する必要がないというメリットがある。【０００７】  特許文献１には、公園や庭園、路側帯、未舗装の駐車場、農地などのあらゆる路地に生え茂る雑草を抑制するための雑草抑制シートが示されている。【０００８】  特許文献２には、樹木の幹を取り囲むように配置して、土を覆う蓋を設けた植樹ポットが示されている。【特許文献１】特開平８−１７２９３６号公報
【特許文献２】特開２００１−２７５５００号公報
【考案の開示】
【考案が解決しようとする課題】
【０００９】  しかしながら、従来のやり方には、植物を用いて美の空間を構成するにあたり、幾つかのデメリットがある。【００１０】  例えば、上記（Ａ）のようにガーデニング器具の中に植物を入れる場合、当然、そのガーデニング器具の中でのみ根が張り生育することができるにすぎない。そのため、生長が進んで、根が大きくなると、より大きなガーデニング器具に植え替える必要が生じる。又、ガーデニング器具の中で保持できる水分が限られるため、定期的に水分を補給する必要がある。このように、植物それ自体の維持管理に手間が掛かるというデメリットがある。【００１１】  また、上記（Ｂ）のように地植えの場合、庭全体、少なくとも植物周辺の地面の草むしりをする必要があるという大きなデメリットがある。【００１２】  地面をグランドカバーで覆うことにより草むしりの作業を省略することもできるが、カバーのみでは、美の空間、とくに多様なデザインの美の空間を構成するのは困難である。【００１３】  本考案は、手間を掛けることなく、多様なデザインが可能で、かつ美の空間を構成しやすいガーデニング器具を提供することを目的としている。
【課題を解決するための手段】
【００１４】  本考案の解決手段を例示すると、以下のとおりである。【００１５】（１）  植物を収容するための複数の異なるガーデニング器具の組合せであって、複数の異なるガーデニング器具の各々において、  植物の茎や葉を上方に生長させるために開放された上部開口部（１６ａ、２６ａ、３６ａ、４６ａ、５６ａ、６６ａ）と、上部開口部（１６ａ、２６ａ、３６ａ、４６ａ、５６ａ、６６ａ）の反対方向に、植物の根を生長させるために開放されている下部開口部（１６ｃ、２６ｃ、３６ｃ、４６ｃ、５６ｃ、６６ｃ）と、上部開口部（１６ａ、２６ａ、３６ａ、４６ａ、５６ａ、６６ａ）および下部開口部（１６ｃ、２６ｃ、３６ｃ、４６ｃ、５６ｃ、６６ｃ）がそれぞれ上端と下端に形成されている側壁部（１６ｂ、２６ｂ、３６ｂ、４６ｂ、５６ｂ、６６ｂ）とを有し、  下部開口部（５６ｃ）が、上部開口部（５６ａ）に対して２０％以上の開口面積比を有し、  ガーデニング器具の高さが、上部開口部（６６ｃ）の最大直径の５倍以内であることを特徴とするガーデニング器具。【００１６】（２）  ガーデニング器具全体が椀型をしており、ガーデニング器具の上端と下端が完全に開放していて、ガーデニング器具の上端および下端に壁が設けられていないことを特徴とする前述のガーデニング器具。【００１７】（３）  ガーデニング器具全体が壺型をしていて、ガーデニング器具の上端と下端が完全に開放していて、ガーデニング器具の上端および下端に壁が設けられていないことを特徴とする前述のガーデニング器具。【００１８】（４）  ガーデニング器具の材質が陶磁器であることを特徴とする前述のガーデニング器具。
【考案の効果】
【００１９】  本考案のガーデニング器具の組合せによれば、ガーデニングが、草むしりの手間をかけることなく楽しめる。しかも、多様なデザインが可能となる。とくに、種々のデザインの美の空間を構成しやすい。【００２０】  植物の維持管理に手間を掛けたくないが、広い面積の庭を作りたい場合、草むしりする手間を省く必要がある。このような場合、本考案によれば、新しいガーデニングのデザインの多様性を大きくすることが出来、本考案の効果は極めて顕著な効果を奏する。【００２１】  ガーデニング器具の下部開口部が、上部開口部に対して２０％以上の開口面積比を有すると、地中に張った根が下部開口部のところに密集して水はけが悪くなるということが回避できる。【００２２】  ガーデニング器具の高さが、上部開口部の最大直径の５倍以内であると、土壌に対してガーデニング器具を容易かつ安定的に設置できる。【００２３】  ガーデニング器具が陶磁器製であると、他の材質のガーデニング器具と比較して、良好な景観を安価にかつ容易に提供しやすい。
【考案を実施するための最良の形態】
【００２４】  本考案の最良の形態による複数の異なるガーデニング器具の各々は、植物を収容するためのガーデニング器具であって、植物の茎や葉を上方に生長させるために上向きに開放された上部開口部と、側壁部と、上部開口部の反対側に設けられた下部開口部を有するものである。下部開口部は、上部開口部とは反対の方向に植物の根を生長させるために下向きに開放されている。【００２５】  ガーデニング器具の高さ（たとえばガーデニング器具を地面に設定したとき、ガーデニング器具の上部開口部から下部開口部までの鉛直方向の距離）は、好ましくは、植え込み部分となる上部開口部の最大直径の５倍以内とする。これは、例えばガーデニング器具の下側３分の１程度を土壌に埋め込むことにより、容易な方法で安定してガーデニング器具を設置できるためである。【００２６】  本考案の最良の形態においては、庭の土壌に設置されて植物を収容するための前述のガーデニング器具と、土壌を覆うグランドカバーとが組合せて使用される。【００２７】  グランドカバーに複数の種々のサイズや形状の開口が設けられていて、種々のガーデニング器具が各開口内に設置される。植物の根は、ガーデニング器具の下部開口部を通って下方にある土壌内に延びる。【００２８】  本考案において、上部開口部とは、植物の茎や葉をほぼ上向きに生長させるために開放された開口部を意味し、全体的に正確に上方を向いた開口部に限らず、斜め上方を向いた開口部を含む。【００２９】  本考案において、グランドカバーとは、防草シート、砂利、芝、樹皮加工品などであり、土壌の地面を覆って草が生長しにくくするものである。【００３０】  樹皮加工品は、次のものが好ましい。【００３１】（１）バーフチップ。主に北米産の米杉（レッドシダー）、米松（パイン）の樹皮をチップ状に砕いたものが好ましい。【００３２】（２）樹皮を繊維状に加工したもの。好ましくは、杉・檜の樹皮を繊維状に加工したもの。【００３３】  また、土状のもので、無機系で、砂に近い外観の化学製品も、グランドカバーとして利用できる。【００３４】  ガーデニング器具の材質は陶磁器とする。これにより、良い景観を創ることが容易になる。【００３５】  開口部の大きさは、植え込み部分となる上部開口部の面積に対して、下部開口部の面積が、開口面積比で２０％以上の大きさを有するようにする。これは、２０％未満にすると、地中に張った根が下部開口部に密集して、水はけが悪くなり、根腐れを起こすことがあるためである。【００３６】  こうして、広い庭であっても、本考案のガーデニング器具をいくつか点在させてガーデニングを行うことで、庭の空間全体を美しく構成できる。
【実施例】
【００３７】  以下、図面を参照して、本考案の実施例を説明する。【００３８】  図１は、本考案によるガーデニング器具の組合せの一例を示す概略斜視図である。【００３９】  庭構造１０は、土壌１２と、土壌１２の表面（地面）に下部を少し埋め込むように設置されていて植物を収容するためのガーデニング器具と、土壌１２を覆う砂利１８（グランドカバーの一例）を有する。【００４０】  植物は、種々のものを配置するのが、美の空間を構成するために好ましい。図１に示された例においては、３つの異なる植物１４、２４、３４が配置されている。これらの植物１４、２４、３４が適当な間隔で土壌１２に植えられている。【００４１】  図１に示された例においては、３つの異なるガーデニング器具１６、２６、３６が使用されている。これらのガーデニング器具１６、２６、３６は、土壌１２に少し埋める形に設置されていて、植物１４、２４、３４がそれぞれの中に収容されている。【００４２】  砂利１８は、本考案におけるグランドカバーの一例である。砂利１８が土壌１２の表面を完全に覆って、草が生長しにくくなっている。【００４３】  図２Ａは、ガーデニング器具周辺の一例を示す概略斜視図である。【００４４】  図２Ｂは、図２Ａのガーデニング器具に植物を植えた状態を示す概略縦断面図である。【００４５】  ガーデニング器具１６は、浅い椀型のガーデニング器具として構成されている。【００４６】  ガーデニング器具１６は、上部開口部１６ａと、側壁部１６ｂと、下部開口部１６ｃを有する。【００４７】  上部開口部１６ａは、植物１４の茎１４ａや葉１４ｂを上方に生長させるために上向きに開放されている。【００４８】  側壁部１６ｂの上端は、上部開口部１６ａを画成している。側壁部１６ｂは、植物１４の茎１４ａとその周囲の土壌１２を取り囲んでいる。【００４９】  下部開口部１６ｃは、上部開口部１６ａと反対側の側壁部１６ｂに設けられていて、側壁部１６ｂの下端に画成されている。下部開口部１６ｃは、上部開口部１６ａとは反対の方向に植物１４の根１４ｃを生長させるために下向きに開放されている。【００５０】  土壌１２の表面レベルは、ガーデニング器具１６の内部が外部よりも少し高くなっている。内部と外部で土の質を相違させてもよい。【００５１】  植物１４の根１４ｃが、ガーデニング器具１６の下部開口部１６ｃを通ってその下方にある土壌１２に延びている。【００５２】  砂利１８は、所定の厚みの層をなして構成されていて、点在する形で、複数の開口１８ａを有する。ガーデニング器具１６は、これらの各開口１８ａに設置されている。ガーデニング器具１６の下側３分の１程度が土壌１２の中に埋められていている。そのため、ガーデニング器具１６は安定して設置されている。【００５３】  ガーデニング器具１６の周囲の土壌１２が砂利１８で覆われているため、土壌１２の草むしりをする必要がほとんどない。一方、植物１４の根１４ｃが土壌１２内に延びているため、よほど特別な状況以外は、植物１４に水分を補給する必要がない。こうして、ガーデニング器具１６の個数や種類、植物の種類などを工夫することにより、草むしりの手間をかけることなく、多様なデザインの美の空間を構成できる。【００５４】  図３Ａは、ガーデニング器具周辺の別の例を示す概略斜視図である。図３Ｂは、図３Ａのガーデニング器具の概略縦断面図である。なお、植物は図示が省略されている。【００５５】  ガーデニング器具３６は、傾斜した壺型のガーデニング器具として構成されていて、砂利１８の複数の開口１８ｂの各々に設置されている。【００５６】  ガーデニング器具３６は、上部開口部３６ａと、側壁部３６ｂと、下部開口部３６ｃを有する。【００５７】  ガーデニング器具３６の内部と外部で土壌１２の表面レベルと質が相違している。【００５８】  上部開口部３６ａ、側壁部３６ｂ、下部開口部３６ｃ、開口１８ｂの機能は、それぞれ、図２Ａ及び図２Ｂの上部開口部１６ａ、側壁部１６ｂ、下部開口部１６ｃ、開口１８ａの機能と基本的に同じであるので、その説明を省略する。【００５９】  傾斜した壺型のガーデニング器具３６を用いることで、更に多様なデザインの美の空間を構成できるようになっている。【００６０】  図４Ａは、ガーデニング器具周辺の更に別の例を示す概略斜視図である。図４Ｂは、図４Ａのガーデニング器具の概略縦断面図である。なお、植物は図示が省略されている。【００６１】  ガーデニング器具４６の内部と外部で土壌１２の表面レベルと質が相違している。【００６２】  ガーデニング器具４６は、起立した壺型のガーデニング器具として構成されていて、砂利１８の複数の開口１８ｃの各々に設置されている。【００６３】  ガーデニング器具４６は、上部開口部４６ａと、側壁部４６ｂと、下部開口部４６ｃを有する。上部開口部４６ａ、側壁部４６ｂ、下部開口部４６ｃ、開口１８ｃの機能は、それぞれ、図２Ａ及び図２Ｂの上部開口部１６ａ、側壁部１６ｂ、下部開口部１６ｃ、開口１８ａの機能と基本的に同じであるので、その説明を省略する。【００６４】  起立した壺型のガーデニング器具４６を用いることで、更に多様なデザインの美の空間を構成できるようになっている。【００６５】  図５は、上部と下部の開口部の面積の相対関係を説明するための図である。【００６６】  ガーデニング器具５６は、上部開口部５６ａと、側壁部５６ｂと、下部開口部５６ｃを有する。上部開口部５６ａ、側壁部５６ｂ、下部開口部５６ｃの機能は、それぞれ、図２Ａ及び図２Ｂの上部開口部１６ａ、側壁部１６ｂ、下部開口部１６ｃの機能と基本的に同じであるので、その説明を省略する。【００６７】  ガーデニング器具５６の下部開口部５６ｃは、上部開口部５６ａに対して２０％以上の開口面積比を有する。すなわち、下部開口部５６ｃの面積ｂは、上部開口部５６ａの面積ａの２０％以上となっている。こうして、土壌に張った根が下部開口部５６ｃのところに密集して、水はけが悪くなったり、根腐れを起こしたりしないようになっている。【００６８】  図６は、ガーデニング器具の高さを説明するための図である。【００６９】  ガーデニング器具６６は、上部開口部６６ａと、側壁部６６ｂと、下部開口部６６ｃを有する。上部開口部６６ａ、側壁部６６ｂ、下部開口部６６ｃの機能は、それぞれ、図２Ａ及び図２Ｂの上部開口部１６ａ、側壁部１６ｂ、下部開口部１６ｃの機能と基本的に同じであるので、その説明を省略する。【００７０】  ガーデニング器具６６���上部開口部６６ａから下部開口部６６ｃまでの鉛直方向の距離ｄが、ガーデニング器具の高さに相当し、上部開口部６６ａの最大直径ｃの５倍以内に設定されている。【００７１】  例えば、ガーデニング器具６６の下側３分の１程度を土壌に埋め込むことにより、ガーデニング器具６６を安定して設置できるようになっている。【００７２】  本考案は図示された実施例に限定されない。例えば、ガーデニング器具やグランドカバーの形状は前述の図示された実施例に限定されない。
【図面の簡単な説明】
【００７３】
【図１】本考案による複数の異なるガーデニング器具を組合せて作った庭構造の一例を示す概略斜視図である。
【図２Ａ】ガーデニング器具周辺の一例を示す概略斜視図である。
【図２Ｂ】図２Ａのガーデニング器具に植物を植えた状態を示す概略縦断面図である。
【図３Ａ】ガーデニング器具周辺の別の例を示す概略斜視図である。
【図３Ｂ】図３Ａのガーデニング器具の概略縦断面図である。
【図４Ａ】ガーデニング器具周辺の別の例を示す概略斜視図である。
【図４Ｂ】図４Ａのガーデニング器具の概略縦断面図である。
【図５】上部と下部の開口部の面積の相対関係を説明するための図である。
【図６】ガーデニング器具の高さを説明するための図である。
【符号の説明】
【００７４】１０  庭構造１２  土壌１４、２６、３６  植物１４ａ  茎１４ｂ  葉１４ｃ  根１６、２６、３６、４６、５６、６６  ガーデニング器具１６ａ、２６ａ、３６ａ、４６ａ、５６ａ、６６ａ  上部開口部１６ｂ、２６ｂ、３６ｂ、４６ｂ、５６ｂ、６６ｂ  側壁部１６ｃ、２６ｃ、３６ｃ、４６ｃ、５６ｃ、６６ｃ  下部開口部１８  砂利（グランドカバーの一例）１８ａ、１８ｂ、１８ｃ  開口